(57)【要約】【課題】従来のマルチキャスト配信システムでは、端末装置にとって不要な映像も映像配信装置と映像中継装置間をマルチキャスト通信で配信しなければならず、両装置間でトラフィックが増加すると言う問題点がある。【解決手段】端末装置1100が機能1102、1103を用いてIGMP等のレポートを送信する。映像中継装置1200は、機能1201を用いて当該番組の両装置1300,1200間の通信がマルチキャストかユニキャストかを判断する。ユニキャスト通信の場合、装置1200は機能1202を用いて要求した端末装置に対してVLAN IDを設定し、機能1203を用いてIGMP等のレポートを装置1300に送信し、装置1300はユニキャスト通信により映像を配信する。装置1200は機能1204を用いてユニキャストデータをマルチキャストデータに変換し、機能1202を用いてフレームにVLAN IDを付加して端末装置1100にマルチキャスト通信による映像データを送信する。【選択図】図１
2008092239.tif 000002
【特許請求の範囲】
【請求項１】
映像を配信する映像配信装置と、
前記映像を中継する映像中継装置と、
前記映像中継装置との間でマルチキャスト通信を行い、前記映像を表示する複数の端末装置とを備えており、
前記映像配信装置は、
番組毎に、前記映像配信装置と前記映像中継装置間の当該番組の映像データの通信がマルチキャスト通信かユニキャスト通信であるかを示すマルチキャスト／ユニキャスト選択欄を含む番組表を作成し且つ前記映像中継装置に前記番組表を送信する番組表管理手段と、
前記マルチキャスト／ユニキャスト選択欄にユニキャストと設定されている番組の映像を、前記映像中継装置からの要求に応じて、前記ユニキャスト通信により前記映像中継装置に配信するユニキャスト映像配信手段と、
前記マルチキャスト／ユニキャスト選択欄にマルチキャストと設定されている番組の映像を、前記映像中継装置からの要求に応じて、前記マルチキャスト通信により前記映像中継装置に配信するマルチキャスト映像配信手段とを有しており、
前記映像中継装置は、
前記映像配信装置の前記番組表管理手段から送信されて来た前記番組表を受信し、前記マルチキャスト／ユニキャスト選択欄に前記ユニキャストと設定されている番組については、前記映像中継装置と前記複数の端末装置間でマルチキャスト通信する際のマルチキャストアドレスを決定し、当該マルチキャストアドレスを前記番組表のマルチキャストアドレス情報欄に代入した上で、番組表を前記端末装置に配信する番組表管理手段と、
前記複数の端末装置の一つによって前記番組表の中から選択された番組の配信を要求するマルチキャストのレポートを当該一つの端末装置から受信し、前記映像中継装置の前記番組表管理手段が管理する前記番組表中の前記マルチキャスト／ユニキャスト選択欄から前記一つの端末装置から配信を要求されている番組が前記マルチキャストと設定されているか前記ユニキャストと設定されているかを判断し、前記マルチキャストと設定されている場合には前記マルチキャスト通信により当該被要求番組の映像を配信する様に要求するマルチキャストのレポートを前記映像配信装置へ送信する一方、前記ユニキャストと設定されている場合には前記ユニキャスト通信により当該被要求番組の映像を配信する様に要求するマルチキャストのレポートを前記映像配信装置へ送信する、マルチキャスト通信を行うマルチキャスト通信手段と、
前記映像配信装置の前記ユニキャスト映像配信手段から前記ユニキャスト通信によって配信されて来たユニキャストの映像データをマルチキャストの映像データに変換するユニキャストーマルチキャスト変換手段と、
前記一つの端末装置から配信を要求されている番組が前記ユニキャストと設定されている場合には、配信を要求するマルチキャストのレポートを発信した前記一つの端末装置に対してＶＬＡＮ  ＩＤを設定すると共に、ユニキャストデータからマルチキャストデータに変換された映像データのフレームに前記ＶＬＡＮ  ＩＤを付加するＶＬＡＮ手段とを有しており、
前記映像中継装置の前記マルチキャスト通信手段は、前記映像配信装置から受信した映像データが前記マルチキャスト通信によって配信されて来た場合には当該マルチキャストの映像データを、配信を要求した前記一つの端末装置に転送する一方、前記映像配信装置から受信した映像データが前記ユニキャスト通信によって配信されて来た場合には、前記ユニキャストーマルチキャスト変換手段によってマルチキャスト通信のデータに変換され且つ前記ＶＬＡＮ手段によって前記ＶＬＡＮ  ＩＤが付加されたマルチキャストの映像データを、配信を要求した前記一つの端末装置に送信し、
前記複数の端末装置の各々は、
マルチキャスト通信を行うマルチキャスト通信手段と、
前記被要求番組の映像を配信する様に要求するマルチキャストのレポートを当該端末装置の前記マルチキャスト通信手段から受信して当該レポートを前記映像中継装置の前記マルチキャスト通信手段に送信する一方、前記映像中継装置の前記マルチキャスト通信手段から送信されて来たマルチキャストデータを受信して当該マルチキャストデータを当該端末装置の前記マルチキャスト通信手段に転送すると共に、前記映像中継装置の前記マルチキャスト通信手段から前記ＶＬＡＮ指示を受信すると前記ＶＬＡＮ  ＩＤが付加されたマルチキャストデータのみを受信する様にフィルタするＶＬＡＮ設定手段と、
前記映像中継装置の前記番組表管理手段から前記ＶＬＡＮ設定手段を介して配信されて来た前記番組表を記憶する番組表管理手段と、
当該端末装置の前記番組表管理手段が管理する前記番組表から番組名を選択して選択した番組名の映像データの配信要求を当該端末装置の前記マルチキャスト通信手段に送信する映像選択手段と、
当該端末装置の前記マルチキャスト通信手段から送信されて来たマルチキャストの映像データを表示する映像表示手段とを有しており、
当該端末装置の前記マルチキャスト通信手段は、前記映像選択手段から送信されて来た前記要求を受信して、前記レポートを、前記ＶＬＡＮ設定手段を介して、前記映像中継装置の前記マルチキャスト通信手段に送信することを特徴とする、
マルチキャスト通信を用いた映像配信システム。
【請求項２】
請求項１記載のマルチキャスト通信を用いた映像配信システムであって、
前記映像中継装置は、
当該映像中継装置の前記マルチキャスト通信手段で受信した前記映像配信装置からのユニキャスト通信による映像データをキャッシュする映像キャッシュ手段を更に有しており、
前記映像中継装置は、
前記複数の端末装置の内で前記一つの端末装置とは別の端末装置から、前記映像キャッシュ手段内にキャッシュされている前記ユニキャスト通信による番組の映像データの配信要求があった場合には、前記映像キャッシュ手段内にキャッシュされている前記ユニキャストデータをマルチキャストデータに変換し、同一マルチキャストアドレスのままで別のＶＬＡＮ  ＩＤを前記別の端末装置に設定し且つ変換後のマルチキャストデータに前記別のＶＬＡＮ  ＩＤを付加することで、前記映像キャッシュ手段から配信要求があった番組の映像データを前記別の端末装置に配信することを特徴とする、
マルチキャスト通信を用いた映像配信システム。
【発明の詳細な説明】
【技術分野】
【０００１】
この発明は、マルチキャスト通信を用いた映像配信システム（映像を表示する端末装置と映像中継装置と映像配信装置とがネットワークで接続されており、映像中継装置と各端末装置間でマルチキャスト通信を行うシステム）に関する。
【背景技術】
【０００２】
従来のマルチキャスト通信を使用したシステム装置では、映像配信装置で、デジタルコンテンツにＩＰマルチキャストアドレスを割り当ててイーサネット（登録商標）フレ−ム化し、配信先の端末装置を指定することなくマルチキャストアドレスを用いて映像中継装置へ送信する。映像中継装置では、端末装置からＩＰマルチキャストアドレスが指定された受信要求があった場合に、マルチキャストアドレスが割り当てられたものを選択して、その端末装置へ転送するという構成にしている（例えば、特許文献１参照）。
【０００３】
他の従来のマルチキャスト通信を使用したシステム装置では、各コンテンツの配信に用いるマルチキャストアドレスを保持した番組表サーバを備え、端末装置から番組表サーバにＩＰ網を介してアクセスして希望コンテンツのマルチキャストアドレスを取得し、当該マルチキャストアドレスに基づいて端末が希望コンテンツを受信する構成にしている（例えば、特許文献２参照）。
【０００４】
【特許文献１】特開２００２−１１８８４１号公報
【特許文献２】特開２００３−２２９９０３号公報
【発明の開示】
【発明が解決しようとする課題】
【０００５】
従来のマルチキャストを利用した配信システム（特許文献１）は以上のように構成されているので、端末装置にとって不要な映像も映像配信装置と映像中継装置間でマルチキャスト通信により配信しなければならず、映像配信装置と映像中継装置との間でトラフィックが増加すると言う問題点があった。加えて、同じマルチキャストアドレスを使用するため、端末装置のユーザは映像の途中からしか視聴できないと言う問題点もあった。
【０００６】
従来の他の装置は特許文献２のように構成されているので、全端末装置が番組表サーバにアクセスしなければならず、番組表サーバへアクセスするネットワークのトラフィックが高くなると言う問題点があった。
【０００７】
この発明は上記のような問題点を解消するためになされたものであり、映像配信装置と映像中継装置間のトラフィックを削減できると共に、配信開始後から視聴を開始しても最初から端末装置のユーザは視聴できるマルチキャスト映像配信装置を提供することを、その目的としている。
【課題を解決するための手段】
【０００８】
本発明の主題は、映像を配信する映像配信装置と、前記映像を中継する映像中継装置と、前記映像中継装置との間でマルチキャスト通信を行い、前記映像を表示する複数の端末装置とを備えて成るマルチキャスト通信を用いた映像配信システムであって、前記映像配信装置は、番組毎に、前記映像配信装置と前記映像中継装置間の当該番組の映像データの通信がマルチキャスト通信かユニキャスト通信であるかを示すマルチキャスト／ユニキャスト選択欄を含む番組表を作成し且つ前記映像中継装置に前記番組表を送信する番組表管理手段と、前記マルチキャスト／ユニキャスト選択欄にユニキャストと設定されている番組の映像を、前記映像中継装置からの要求に応じて、前記ユニキャスト通信により前記映像中継装置に配信するユニキャスト映像配信手段と、前記マルチキャスト／ユニキャスト選択欄にマルチキャストと設定されている番組の映像を、前記映像中継装置からの要求に応じて、前記マルチキャスト通信により前記映像中継装置に配信するマルチキャスト映像配信手段とを有しており、前記映像中継装置は、前記映像配信装置の前記番組表管理手段から送信されて来た前記番組表を受信し、前記マルチキャスト／ユニキャスト選択欄に前記ユニキャストと設定されている番組については、前記映像中継装置と前記複数の端末装置間でマルチキャスト通信する際のマルチキャストアドレスを決定し、当該マルチキャストアドレスを前記番組表のマルチキャストアドレス情報欄に代入した上で、番組表を前記端末装置に配信する番組表管理手段と、前記複数の端末装置の一つによって前記番組表の中から選択された番組の配信を要求するマルチキャストのレポートを当該一つの端末装置から受信し、前記映像中継装置の前記番組表管理手段が管理する前記番組表中の前記マルチキャスト／ユニキャスト選択欄から前記一つの端末装置から配信を要求されている番組が前記マルチキャストと設定されているか前記ユニキャストと設定されているかを判断し、前記マルチキャストと設定されている場合には前記マルチキャスト通信により当該被要求番組の映像を配信する様に要求するマルチキャストのレポートを前記映像配信装置へ送信する一方、前記ユニキャストと設定されている場合には前記ユニキャスト通信により当該被要求番組の映像を配信する様に要求するマルチキャストのレポートを前記映像配信装置へ送信する、マルチキャスト通信を行うマルチキャスト通信手段と、前記映像配信装置の前記ユニキャスト映像配信手段から前記ユニキャスト通信によって配信されて来たユニキャストの映像データをマルチキャストの映像データに変換するユニキャストーマルチキャスト変換手段と、前記一つの端末装置から配信を要求されている番組が前記ユニキャストと設定されている場合には、配信を要求するマルチキャストのレポートを発信した前記一つの端末装置に対してＶＬＡＮ  ＩＤを設定すると共に、ユニキャストデータからマルチキャストデータに変換された映像データのフレームに前記ＶＬＡＮ  ＩＤを付加するＶＬＡＮ手段とを有しており、前記映像中継装置の前記マルチキャスト通信手段は、前記映像配信装置から受信した映像データが前記マルチキャスト通信によって配信されて来た場合には当該マ��チキャストの映像データを、配信を要求した前記一つの端末装置に転送する一方、前記映像配信装置から受信した映像データが前記ユニキャスト通信によって配信されて来た場合には、前記ユニキャストーマルチキャスト変換手段によってマルチキャスト通信のデータに変換され且つ前記ＶＬＡＮ手段によって前記ＶＬＡＮ  ＩＤが付加されたマルチキャストの映像データを、配信を要求した前記一つの端末装置に送信し、前記複数の端末装置の各々は、マルチキャスト通信を行うマルチキャスト通信手段と、前記被要求番組の映像を配信する様に要求するマルチキャストのレポートを当該端末装置の前記マルチキャスト通信手段から受信して当該レポートを前記映像中継装置の前記マルチキャスト通信手段に送信する一方、前記映像中継装置の前記マルチキャスト通信手段から送信されて来たマルチキャストデータを受信して当該マルチキャストデータを当該端末装置の前記マルチキャスト通信手段に転送すると共に、前記映像中継装置の前記マルチキャスト通信手段から前記ＶＬＡＮ指示を受信すると前記ＶＬＡＮ  ＩＤが付加されたマルチキャストデータのみを受信する様にフィルタするＶＬＡＮ設定手段と、前記映像中継装置の前記番組表管理手段から前記ＶＬＡＮ設定手段を介して配信されて来た前記番組表を記憶する番組表管理手段と、当該端末装置の前記番組表管理手段が管理する前記番組表から番組名を選択して選択した番組名の映像データの配信要求を当該端末装置の前記マルチキャスト通信手段に送信する映像選択手段と、当該端末装置の前記マルチキャスト通信手段から送信されて来たマルチキャストの映像データを表示する映像表示手段とを有しており、当該端末装置の前記マルチキャスト通信手段は、前記映像選択手段から送信されて来た前記要求を受信して、前記レポートを、前記ＶＬＡＮ設定手段を介して、前記映像中継装置の前記マルチキャスト通信手段に送信することを特徴とする。
【０００９】
以下、この発明の主題の様々な具体化を、添付図面を基に、その効果・利点と共に、詳述する。
【発明の効果】
【００１０】
本発明の主題によれば、映像中継装置に、番組表管理機能、ＶＬＡＮ機能、及びユニキャストーマルチキャスト変換機能を持たせ、且つ、端末装置に、ＶＬＡＮ機能及びマルチキャスト機能を持たせる構成としたので、映像配信装置と映像中継装置間のトラフィック負荷を軽減することが出来る。
【００１１】
更に本発明の主題によれば、映像中継装置に映像キャッシュ機能を持たせているので、端末装置のユーザは配信開始時刻を過ぎてから視聴を開始しても最初から視聴出来ると言う効果がある。
【発明を実施するための最良の形態】
【００１２】
（実施の形態１）
図１は、本実施の形態に係るマルチキャスト映像配信システムの構成例を示すブロック図である。本システムは大別して３つの装置、即ち、映像を表示する端末装置１１００、映像を中継する映像中継装置１２００、及び、映像を送信する映像配信装置１３００から構成される。
【００１３】
図１に於いて、映像配信装置１３００は、番組表を作成し送信する番組表管理機能１３０１、配信要求に応じてユニキャスト通信により映像を配信するユニキャスト映像配信機能１３０２、及び、配信要求に応じてマルチキャスト通信により映像を配信するマルチキャスト映像配信機能１３０３から構成される。
【００１４】
又、映像中継装置１２００の内部は、映像配信装置１３００から受信した番組表を管理し、端末装置１１００用の番組表を作成して当該番組表を端末装置１１００に配信する番組表管理機能１２０１、端末装置１１００に対してＶＬＡＮ設定し、そのＶＬＡＮ設定を管理するＶＬＡＮ機能１２０２、ＩＧＭＰやＭＬＤの機能を持つマルチキャスト通信機能１２０３、映像配信装置１３００から受信したユニキャストデータをマルチキャストデータに変換するユニキャストーマルチキャスト変換機能１２０４、及び、映像配信装置１３００から受信したユニキャスト通信による映像データをキャッシュに保存し、あるいはキャッシュから読み出すことが出来る映像キャッシュ機能１２０５から構成される。
【００１５】
又、映像を表示する端末装置１１００の内部は、端末装置用の番組表を受信し管理する番組表管理機能１１０１、端末装置用番組表からユーザが配信を望む番組の映像を選択する機能と配信されて来た映像を表示する機能とを有する映像選択／表示機能１１０２、ＩＧＭＰやＭＬＤのようなマルチキャスト通信を制御するマルチキャスト機能１１０３、ＶＬＡＮを設定しそのＶＬＡＮ ＩＤが付いたフレームのみを取得するようにフィルタすることが出来るＶＬＡＮ機能１１０４から構成される。
【００１６】
ここで、図２は、映像配信装置１３００と映像中継装置１２００間で授受される番組表の例を示す。番組表は、番組名欄２００１、映像配信装置１３００と映像中継装置１２００間の通信がマルチキャスト通信かユニキャスト通信であるかを示す欄２００２、マルチキャストアドレス情報欄２００３、ユニキャスト情報番組情報欄２００４、配信開始時刻欄２００５、及び、配信停止時刻欄２００６から構成される（図２）。ここで、参照符号２０１０は番組表項目欄を、参照符号２０１１は番組例１（映像配信装置１３００と映像中継装置１２００間がマルチキャスト配信の場合）を、参照符号２０１２は番組例２（映像配信装置１３００と映像中継装置１２００間がユニキャスト配信の場合）を、それぞれ示している。
【００１７】
又、図３は、映像中継装置１２００で使用する番組表のデータ構造例を示す。図３の例では、ドラマＢの番組はユニキャスト通信による映像であるため、当該映像データは同装置１２００内のユニキャストーマルチキャスト変換機能１２０４によってマルチキャストデータに変換される結果、ドラマＢに対応するマルチキャストアドレス情報224.0.02がマルチキャストアドレス情報欄２００３に入力されている。その上で、映像中継装置１２００は番組表管理機能１２０１を用いて端末装置用の番組表を作成する。
【００１８】
そして、映像中継装置１２００と端末装置１１００の間で授受される端末装置用の番組表は、図４に示す通り、番組名欄２００１、マルチキャストアドレス情報欄２００３、配信開始時刻欄２００５、配信停止時刻欄２００６から構成される。
【００１９】
以下では、本システムに於ける処理を図５に基づき記載する。
【００２０】
映像配信装置１３００は番組表管理機能１３０１を用いて図２に示す様な番組表を作成し、映像中継装置１２００に対して当該番組表を配信する（処理３３０１）。映像中継装置１２００は、上記番組表を受け取ると、番組表管理機能１２０１を用いて、番組表のマルチキャスト/ユニキャスト選択欄２００２がユニキャストの番組について映像中継装置１２００と端末装置１１００間で通信するマルチキャストアドレスを決定し、決定したマルチキャストアドレスをマルチキャストアドレス情報欄２００３に代入し、映像中継装置１２００は端末装置１１００に対して番組情報を配信する（処理３２０１）。端末装置１１００は、映像中継装置１２００から配信される端末装置用の番組表を受信すると、その番組表管理機能１１０１を用いて番組表を記憶する（処理３１０１）。
【００２１】
次に、映像配信装置１３００と映像中継装置１２００間がマルチキャスト通信で配信されている番組を端末装置１１００が要求するときの処理について記載する。ユーザが端末装置１１００の映像選択/表示機能１１０２を用いて端末装置用の番組表から番組選択すると、端末装置１１００は、マルチキャスト機能１１０３を使用してＩＧＭＰまたはＭＬＤのレポートを映像中継装置１２００に送信する（処理３１０２）。このレポートを受信すると、映像中継装置１２００は、番組表管理機能１２０１により番組表のマルチキャストアドレス情報欄２００３から番組名２００１を検索し、その番組のマルチキャスト/ユニキャスト選択欄２００２を参照して、映像配信装置１３００と映像中継装置１２００間の通信がユニキャスト通信かマルチキャスト通信かを判断する。ここでマルチキャスト/ユニキャスト選択欄２００２がマルチキャスト通信であった場合、映像中継装置１２００は、マルチキャスト通信機能１２０３を用いて、映像配信装置１３００に対してＩＧＭＰまたはＭＬＤのレポートを送信する（処理３２０２）。レポートを受信した映像配信装置１３００は、マルチキャスト映像配信機能１３０３を用いて、映像中継装置１２００にマルチキャスト通信で映像を送信する(処理３３０２)。映像中継装置１２００は、マルチキャスト通信機能１２０３を用いて、端末装置１１００に対して映像を転送する(処理３２０３)。その結果、端末装置１１００は、受信した映像を映像選択/表示機能１１０２により表示する（処理３１０３）。
【００２２】
次に、映像配信装置１３００と映像中継装置１２００間がユニキャスト通信である番組を端末装置１１００が要求するときの処理について記載する。先ず、端末装置１１００の映像選択/表示機能１１０２は、マルチキャスト機能１１０３を使用して、ＩＧＭＰまたはＭＬＤのレポートを映像中継装置１２００に送信する（処理３１０４）。このレポートを受信すると、映像中継装置１２００は、番組表管理機能１２０１により番組表のマルチキャストアドレス情報欄２００３から番組名２００１を検索し、その番組のマルチキャスト/ユニキャスト選択欄２００２を参照して、映像配信装置１３００と映像中継装置１２００間の通信がユニキャスト通信かマルチキャスト通信かを判断する。ここでマルチキャスト/ユニキャスト選択欄２００２がユニキャストであった場合、映像中継装置１２００は、ＶＬＡＮ機能１２０２を用いて、要求のあった端末装置１１００に対してＶＬＡＮ  ＩＤを設定する（処理３２０４）。映像中継装置１２００は、マルチキャスト通信機能１２０３を用いて、映像配信装置１３００に対してＩＧＭＰまたはＭＬＤのレポートを送信する（処理３２０５）。端末装置１１００は、そのＶＬＡＮ機能１１０４を用いて、映像中継装置１２００からＶＬＡＮ設定指示が来ると、そのＶＬＡＮ  ＩＤのみを受信するようにフィルタする（処理３１０５）。ユニキャスト通信による映像要求を受信した映像配信装置１３００は、ユニキャスト映像配信機能１３０３を用いて、映像中継装置１３０２にユニキャスト通信により映像データを送信する（処理３３０３）。映像中継装置１２００は、ユニキャストデータである映像データを受信すると、そのユニキャストーマルチキャスト変換機能１２０４を用いてユニキャストデータをマルチキャストデータに変換し、更にＶＬＡＮ機能１２０２を用いて、フレームにＶＬＡＮ  ＩＤを付加して端末装置１１００に対してマルチキャストデータを送信する（処理３２０６）。端末装置１１００はＶＬＡＮ機能１１０４でマルチキャストデータを受信し、端末装置１１００は映像選択/表示機能１１０２により受信した映像を表示する（処理３１０６）。
【００２３】
以上の様な方式を本システムは採用しているため、ライブ映像などリアルタイムで放送したい番組のみを映像配信装置１３００と映像中継装置１２００間をマルチキャスト通信すればよく、ドキュメンタリ番組又はドラマ番組等の様なリアルタイムで放送する必要性に欠けるコンテンツは端末装置１１００からの要求があった時点で映像配信装置１３００よりユニキャスト通信で映像中継装置１２００に対して配信される。そのため、映像配信装置１３００は全番組をマルチキャスト送信しないですむので、映像配信装置１３００と映像中継装置１２００間のトラフィックの負荷を低くすることが出来る。
【００２４】
（実施の形態２）
本実施の形態の特徴点を既述した図５を用いて以下に記載する。本実施の形態の特徴点は、映像中継装置１２００の映像キャッシュ機能１２０５を使用した点にある。
【００２５】
映像配信装置１３００からのユニキャスト通信による映像データをマルチキャスト通信機能１２０３により受信すると、映像中継装置１２００は、ユニキャストデータを、映像キャッシュ機能１２０５を用いてキャッシュする（処理３２０６Ａ）。
【００２６】
その後、別の端末装置１１００（図１の端末装置Ｂに相当）がキャッシュした番組を選択し、選択した番組の映像の配信を要求するマルチキャストのレポートを映像中継装置１２００に要求する（処理３１０７）。映像中継装置１２００は、映像キャッシュ機能１２０５を用い、要求された番組の映像データがキャッシュされているか否かを確認する。もしなければ、映像中継装置１２００は、実施の形態１で説明した様に、映像配信装置１３００から当該番組の映像の取得を実施する。もし要求された番組の映像データがキャッシュ内にあれば、映像中継装置１２００は、ＶＬＡＮ機能１２０２を用いて、端末装置Ａ（１１００）とは違うＶＬＡＮ  ＩＤを別の端末装置Ｂ（１１００）に設定する（処理３２０７）。端末装置Ｂ（１１００）は、映像中継装置１２００からのＶＬＡＮ設定指示によりＶＬＡＮ設定を実施する（処理３１０８）。
【００２７】
映像中継装置１２００は、映像キャッシュ機能１２０５によりキャッシュ内のデータを読み出し、実施の形態１で既述した通りにユニキャストデータをマルチキャストデータに変換し、更にＶＬＡＮ機能１２０２を用いて、フレームに上記ＶＬＡＮ  ＩＤを付加して、付加後のマルチキャストデータを端末装置Ｂ（１１００）に対して送信する（処理３２０８）。端末装置Ｂ（１１００）は、ＶＬＡＮ機能１１０４でマルチキャストデータを受信し、映像選択/表示機能１１０２により受信した映像を表示する（処理３１０９）。
【００２８】
以上の様な方式を採用すれば、ＶＬＡＮ  ＩＤが違うため、同じマルチキャストアドレスで送信可能となり、配信開始時刻を過ぎても端末装置１１００のユーザは選択した番組を最初から視聴することが可能となる。
【００２９】
（付記）
以上、本発明の実施の形態を詳細に開示し記述したが、以上の記述は本発明の適用可能な局面を例示したものであって、本発明はこれに限定されるものではない。即ち、記述した局面に対する様々な修正や変形例を、この発明の範囲から逸脱することの無い範囲内で考えることが可能である。
【産業上の利用可能性】
【００３０】
活用例として、この発明を映像配信に利用出来る。
【図面の簡単な説明】
【００３１】
【図１】この発明の実施の形態１に係るマルチキャスト映像配信システムの構成を示すブロック図である。
【図２】この発明の実施の形態１で使用する映像配信装置と映像中継装置間で授受する番組表のデータ構造を示す図である。
【図３】この発明の実施の形態１における映像中継装置で使用する番組表のデータ構造を示す図である。
【図４】この発明の実施の形態１で使用する映像中継装置と端末装置間で授受する番組表のデータ構造を示す図である。
【図５】この発明の実施の形態１に係るシステムにおけるシーケンスを示す図である。
【符号の説明】
【００３２】
１１００  端末装置、１１０１  番組表管理機能、１１０２  映像選択/表示機能、１１０３  マルチキャスト機能、１１０４  ＶＬＡＮ機能、１２００  映像中継装置、１２０１  番組表管理機能、１２０２  ＶＬＡＮ機能、１２０３  マルチキャスト通信機能、１２０４  ユニキャストーマルチキャスト変換機能、１２０５  映像キャッシュ機能、１３００  映像配信装置、１３０１  番組表管理機能、１３０２  ユニキャスト映像配信機能、１３０３  マルチキャスト映像配信機能、２００１  番組名欄、２００２  マルチキャスト/ユニキャスト選択欄、２００３  マルチキャストアドレス情報欄、２００４  ユニキャストアドレス情報欄、２００５  配信開始時刻、２００６  配信停止時刻、２０１０  番組表項目欄、２０１１  番組例１（映像配信装置と映像中継装置間がマルチキャスト配信の場合）、２０１２  番組例２（映像配信装置と映像中継装置間がユニキャスト配信の場合）、３１０１  番組表記憶処理、３１０２  番組選択（マルチキャスト）処理、３１０３  映像表示処理、３１０４  番組選択（ユニキャスト）処理、３１０５  ＶＬＡＮ設定処理、３１０６  映像表示処理、３１０７  番組選択（ユニキャスト）処理、３１０８  ＶＬＡＮ設定処理、３１０９  映像表示処理、３２０１  番組表情報付加と配信処理、３２０２  番組確認/映像取得処理、３２０３  映像中継配信処理、３２０４  ＶＬＡＮ設定処理、３２０５  映像取得処理、３２０６  映像変換処理と配信処理、３２０７  ＶＬＡＮ設定処理、３２０８  映像キャッシュからの配信処理、３３０１  番組表配信処理、３３０２  映像配信（マルチキャスト）処理、３３０３  映像配信（ユニキャスト）処理。
【図１】
2008092239.tif 000003
【図２】
2008092239.tif 000004
【図３】
2008092239.tif 000005
【図４】
2008092239.tif 000006
【図５】
2008092239.tif 000007